(57)【要約】【課題】ランプロード方式と負圧式スライダとを組み合わせたディスク記憶装置において、動作時には十分な負圧を発生させてスライダの浮上量を安定化させて、アンロード時には負圧の抑制によりスライダの浮上姿勢の不安定化を改善してディスクに接触するような事態を防止すると共に、必要最小限のランプ高さでアンロード動作を行うことにより装置の薄型化を実現できる。【解決手段】負圧発生部４４により発生する負圧の作用中心Ｐｎがサスペンション荷重（ピボット位置）の作用中心Ｐｓに対して、流出側に設定された構造の負圧式ヘッドスライダである。このような構造により、特にアンロード時の初期時にスライダのピッチングの増加を促進して、負圧を減少させて、浮上姿勢の不安定化を改善する。これにより、アンロード時にスライダがディスクに接触して吸着するような事態を防止すると共に、必要最小限のランプ高さでアンロード動作を行う事にある。【選択図】      図１
2005332574.tif 000002
【特許請求の範囲】
【請求項１】
ディスクの外周側の近傍に配置されたランプ部材によりヘッドスライダを待機させるランプロード方式のディスク記憶装置に使用される負圧式ヘッドスライダであって、
ヘッド移動機構のサスペンションに保持された状態で、前記ディスクの回転運動による空気流の流入により発生する正圧及び負圧の作用による前記ディスク上に浮上するスライダ構造を有し、
前記スライダ構造は、
前記空気流の流入側と流出側において、前記流入側に設けられて前記正圧を発生するための正圧発生部を有し、
前記流出側に設けられて、前記正圧発生部に対して相対的に深い段差部により前記負圧を発生するための負圧発生部を有し、
前記正圧発生部と前記負圧発生部との境界部に設けられた浅い段差部を有する構成であることを特徴とするヘッドスライダ。
【請求項２】
請求項１に記載のヘッドスライダを有し、
前記ヘッドスライダを保持するサスペンションを有するヘッド移動機構と、
前記ヘッドスライダに実装されたヘッドによりデータを記録するためのディスクと、
前記ディスクの外周側の近傍に配置されて、前記ヘッドスライダを待機させるためのランプ部材とを具備したことを特徴とするディスク記憶装置。
【請求項３】
請求項１に記載のヘッドスライダを有し、
前記ヘッドスライダを保持するサスペンションを有するヘッド移動機構と、
前記ヘッドスライダに実装されたヘッドによりデータを記録するためのディスクと、
前記ディスクの外周側の近傍に配置されて、前記ヘッドスライダを待機させるためのランプ部材とを具備するディスク記憶装置において、
前記ヘッドスライダは、少なくともディスク外周側において、前記負圧の作用中心が前記サスペンションによる荷重の作用中心となるピボット位置に対して前記流出側になるように設定するための設定部を有し、
前記ディスクの回転方向に対する前記ヘッドスライダの角度が前記ディスクの内周側に対して外周側が小さくなるように構成されたことを特徴とするディスク記憶装置。
【請求項４】
ディスクの外周側の近傍に配置されたランプ部材によりヘッドスライダを待機させるランプロード方式のディスク記憶装置であって、
前記ヘッドスライダを保持するためのサスペンションを有するヘッドアクチュエータ機構を有し、
前記ディスクの回転運動に伴う空気流により発生する圧力及び前記サスペンションの荷重に基づいて浮上量が調整されるヘッドスライダを有し、
前記ヘッドスライダは負圧式ヘッドスライダであって、
ヘッド移動機構のサスペンションに保持された状態で、前記ディスクの回転運動による空気流の流入により発生する正圧及び負圧の作用による前記ディスク上に浮上するスライダ構造を有し、
前記スライダ構造は、
前記空気流の流入側と流出側において、前記流入側に設けられて前記正圧を発生するための正圧発生部を有し、
前記流出側に設けられて、前記正圧発生部に対して相対的に深い段差部により前記負圧を発生擦るための負圧発生部を有し、
前記正圧発生部と前記負圧発生部との境界部に設けられた浅い段差部を有する構成であり、
前記ディスクの回転方向に対する前記ヘッドスライダの角度が前記ディスクの内周側に対して外周側が小さくなるように構成されたことを特徴とするディスク記憶装置。
【発明の詳細な説明】
【技術分野】
【０００１】
本発明は、いわゆるランプロード方式を採用し、特に負圧式のヘッドスライダを有するディスク記憶装置に関する。
【背景技術】
【０００２】
近年、ハードディスクドライブ（ＨＤＤ）では、高記録密度化に伴って、ヘッドスライダ（以下単にスライダと呼ぶ場合がある）の浮上量が低減が図られている。ＨＤＤでは、スライダがディスク上を浮上した状態で移動し、当該スライダに実装されているヘッド（記録再生素子）とディスクとが所定の間隔で離間された状態でデータの記録再生動作が行われる。従って、スライダの浮上量が低い程、ヘッドの記録再生特性を向上させることができる。
【０００３】
ところで、従来のＨＤＤにおいて採用されているＣＳＳ方式では、ドライブの停止時に、スライダはディスク上に設けられたＣＳＳエリア（通常では最内周側）に着地して接触している状態が維持される。このため、スライダとディスクとの吸着現象を防止するために、ディスクの表面上にはテクスチャと呼ばれる凹凸が設けられている。このテクスチャにスライダが衝突する恐れがあるため、前記の浮上量の低減化には限界があった。
【０００４】
そこで、近年において、ドライブの停止時にスライダとディスクとの非接触状態を保持するランプロード（ｒａｍｐ  ｌｏａｄｉｎｇ）方式と呼ばれるヘッドロード／アンロード機構が注目されている。
【０００５】
図１２及び図１３はランプロード方式のＨＤＤの構成を示す図である。この方式のＨＤＤには、ディスク１の外周側の近傍にランプ部材（即ち、斜面を有する部材）１０が設けられている。ディスク１からのアンロード時には、サスペンション２に取り付けられたロード用タブ（棒状部材）１１が当該ランプ部材１０に乗り上げて、スライダ３はディスク１とは非接触で待機状態となる。ランプ部材１０は、図１２に示すように、斜面を構成する板状部材がディスク１の外周側を挟むように配置されている。
【０００６】
ロード時には、ディスク１がスピンドルモータ５により回転運動している状態で、ボイスコイルモータ６によりヘッドアクチュエータ４が回転軸７を中心としてディスク１側に回転駆動する。これにより、スライダ３はランプ部材１０から離れてディスク１上の半径方向に浮上した状態で移動することになる。なお、ドライブの機構はカバー８により密封される。
【０００７】
このようなランプロード方式であれば、スライダとディスクとの非接触状態の維持により吸着の問題を回避して、ディスクの表面上のテクスチャを不要にすることができる。このため、スライダの浮上量の低減化を推進することが可能となる。
【０００８】
一方、スライダの浮上量の低減化と共に、浮上量の安定化が重要である。即ち、各種の部品の製造公差に伴う浮上量のばらつき、あるいは大気圧などのドライブの外部要因に伴う浮上量の変動の抑制である。このための技術として、近年では負圧式スライダが広く用いられている。この負圧式スライダは、スライダをディスクから浮上させる方向に作用する正圧に対して、反対方向であるディスク側に作用する負圧を利用する方式である。さらに、スライダには、前記のサスペンションからの荷重がディスク側に作用している。このサスペンション荷重と負圧との和に対して、前記の大きな正圧を釣り合わせることにより、スライダがディスク上を浮上しているときの空気膜剛性を高めて、前記の浮上量の変動を抑制する。
【０００９】
以下図９及び図１０を参照して、従来の負圧式スライダの構造を説明する。なお、単にスライダと表記する場合も、負圧式スライダを意味する。
【００１０】
図９（Ａ）に示すように、スライダ３はジンバル２Ｂを介してサスペンション２に保持されている。この状態で、サスペンション２に設けられたピボット２Ａからディスク１側へ、サスペンション荷重（Ｆｓ）が作用している。さらに、同図（Ｂ）に示すように、スライダ３のディスク側に設けられている正圧発生部３２による正圧Ｆｐ及び負圧発生部３１による負圧Ｆｎが発生している。なお、図９（Ｂ）では、サスペンション荷重Ｆｓ、正圧Ｆｐ、負圧Ｆｎの各作用中心点Ｐｓ、Ｐｐ、Ｐｎを示している。正圧発生部３２は、接地面３０に対して相対的に浅い段差（ステップ）からなる。また、負圧発生部３１は、接地面３０に対して相対的に深い段差（ステップ）からなる。記録再生素子であるヘッド３Ａは、接地面３０の流出側の先端部に設けられている。
【００１１】
スライダ３がディスク１から離れるアンロード時には、正圧Ｆｐは接地面３０とディスク１との狭い隙間（間隔ＦＨａ）で発生している。また、負圧Ｆｎは、深い段差である負圧発生部３１とディスク１との隙間（間隔ＦＨｂ）で発生している。
【００１２】
前記アンロード動作の初期時には、正圧Ｆｐは比較的速やかに減少するが、負圧Ｆｎはそれほど急激には減少しない。この負圧Ｆｎが相対的に大きい場合に、図１０に示すように、アンロードの途中段階でアンロード力Ｆｕが発生して、スライダ３を引き剥がそうとする状態が過渡的に発生する。即ち、大きい負圧Ｆｎによりピボット２Ａがスライダ３の背面から離れて、ジンバル２Ｂが変形することにより前記の状態が発生する。
【００１３】
この過渡的な段階を経て、スライダ３がランプ部材１０により完全にディスク１からアンロード状態となるためには、スライダ３を十分に高く持ち上げる事が必要となる。スライダ３を高く持ち上げるためのランプロード機構は、ＨＤＤの薄型化を妨げる要因となる。また、負圧Ｆｎとアンロード力Ｆｕとが釣り合っている状態では、スライダの空気膜剛性が低く、浮上姿勢が不安定になる要因となる。このため、アンロード時に、スライダ３がディスク１に接触する事態が起こり、両者の破損の要因となる。
【００１４】
次に、アンロード時のスライダの浮上量低下の問題について説明する。ランプロード方式のＨＤＤでは、誤ってドライブの電源が遮断された場合に、ディスクの回転が停止する前にスライダをアンロードする必要があり、高速のアンロード動作を行う。図７は、その際のスライダとディスクとの相対的な運動の方向を説明するための図である。スライダ４０とディスク１の進行方向のなす角７０（ヨー角）は、回転式のヘッドアクチュエータ４を用いる場合には、内周から外周にかけて徐々に変化し、現行のドライブでは、内周でヨー角が小さく、外周で大きくなるように構成されている。
【００１５】
一方、図８は、ヨー角と浮上量との関係をプロットしたものである。現行のスライダは両側部にディスクの進行方向に概略沿った方向に長い接地面を有し、このような接地面において発生する正圧は、図８に示すように、ヨー各が大きくなると小さくなるので、浮上量が下がる傾向を示す。
【００１６】
つまり、現行のドライブでは、内周よりも外周側で周速が大きくなることに伴って浮上量が増大する傾向を、ヨー角が大きくなることによって浮上量が減少する傾向と相殺させ、内周から外周に渡って比較的均一な浮上量パターンを実現している。
【００１７】
アンロード時には、ディスクの周速に加えてアンロード速度７４が発生するので、スライダ４０とディスク１との相対運動の方向はそのベクトル和７３となり、等価的にヨー角が増加する（増加分７１）。従って、図８の等価的なヨー角の効果で大幅な浮上量低下８２が生じる。この浮上量低下は、アンロード時のディスクとスライダとの接触を引き起こし、両者の破損の要因となる。
【発明の開示】
【発明が解決しようとする課題】
【００１８】
高記録密度化を図るために、ランプロード方式と負圧式スライダとを組み合わせたＨＤＤが注目されているが、前述したように、負圧によるスライダへのディスクに対する吸着を解消するため、ランプ高さを大きくする必要が生じ、装置の薄型化の妨げになっていた。特にアンロード時におけるスライダの浮上姿勢が不安定化し、最悪の場合にはディスクに接触して吸着するような事態を招く。
【００１９】
負圧式スライダとしては、例えば図１１に示すような構造も提案されている。この構造は、制限されたスライダ面積で、できるだけ大きな負圧Ｆｎを発生させるために、負圧発生部３１は空気流の流入側にも大きく食い込むような形状になっている。このため、負圧の作用中心Ｐｎが流入側に偏り、それより流出側に正圧の作用中心Ｐｐ、及びサスペンション荷重Ｆｓの作用中心点であるピボット位置Ｐｓの位置関係となる。このような構造では、アンロード時に、サスペンション荷重Ｆｓが減少しても、スライダ３のピッチングが増加せずに、負圧発生部３１の流出側の先端部のディスク１との隙間変化が小さい。このため、前述したように、スライダの負圧によるディスクへの吸着が顕著となり、アンロード時におけるスライダの浮上姿勢が不安定化し、ディスクに接触するような事態を招く要因となる。
【００２０】
そこで、本発明の目的は、ランプロード方式と負圧式スライダとを組み合わせたディスク記憶装置において、動作時には十分な負圧を発生させてスライダの浮上量を安定化させて、アンロード時には負圧の抑制によりスライダの浮上姿勢の不安定化を改善してディスクに接触するような事態を防止すると共に、ランプ高さを必要最小限にとどめ、装置の薄型化に寄与することにある。
【課題を解決するための手段】
【００２１】
本発明は、ランプロード方式のＨＤＤなどのディスク記憶装置に適用する負圧式スライダの構造の関するものであり、特にスライダをディスクから離すアンロード時での負圧を減少させる構成である。
【００２２】
具体的な構成としては、負圧発生部により発生する負圧の作用中心がサスペンション荷重（ピボット位置）の作用中心に対して、スライダの流出側に設定された構造である。このような構造により、特にアンロード時の初期時にスライダのピッチングの増加を促進して、負圧を減少させて、浮上姿勢の不安定化を改善する。これにより、アンロード時にスライダがディスクに接触して吸着するような事態を防止する事にある。また、負圧によるスライダのディスクへの吸着を防ぎ、ランプ高さを必要最小限にとどめることにある。
【００２３】
さらに、本発明の別の観点として、前記本発明の構造の負圧式スライダを採用し、かつディスクの回転方向に対するスライダの角度（ヨー角）がディスクの内周側に対して外周側が小さくなるように構成されたディスク記憶装置である。
【００２４】
この構成により、アンロード時に発生する等価的なヨー角の変化に伴う浮上量の低下を最小限にとどめ、スライダとディスクとが接触するような事態を防止する。
【発明の効果】
【００２５】
本発明によれば、ランプロード方式と負圧式スライダとを組み合わせたディスク記憶装置において、動作時には十分な負圧を発生させてスライダの浮上量を安定化させて、アンロード時には負圧の抑制によりスライダの浮上姿勢の不安定化を改善してディスクに接触して吸着するような事態を防止すると共に、必要最小限のランプ高さでアンロード動作を行うことにより装置の薄型化を実現できる。
【発明を実施するための最良の形態】
【００２６】
以下図面を参照して、本発明の実施形態を説明する。
【００２７】
図１は本実施形態に関係する負圧式スライダの構造を示す図であり、図２は同スライダの構造を示す斜視図である。
【００２８】
（スライダの構成と作用効果）
本実施形態のスライダ４０はランプロード方式のＨＤＤ（図１２及び図１３を参照）に使用するものであり、図１（Ｂ）に示すように、負圧発生部４４と正圧発生部４３との境界部に相対的に浅い段差部（ステップ）４６を構成するように設定部４５を有する。なお、本スライダ４０は、前述した従来のスライダ３と同様に、ヘッドアクチュエータのサスペンションにジンバルを介して保持されており、このピボットからディスク１側へサスペンション荷重Ｆｓが作用している（図９を参照）。さらに、サスペンションとランプロード機構のランプ部材との位置関係も、従来のスライダ３と同様である（図１０を参照）。
【００２９】
負圧発生部４４は、図１（Ｂ）及び図２に示すように、凸部である両側部４２に囲まれた深い段差を有し、流出側が開口されている構造である。両側部４２は、浅いステップに囲まれて、両サイドからの空気の流れ込みを防止して、負圧の発生効率を高める。また、両側部４２の流出側の先端部には、各接地面４１が設けられている。この接地面４１の一方には、記録再生素子であるヘッド４０Ａが配置されている。
【００３０】
正圧発生部４３は、流入側の浅い段差４３ａと流入側の接地面４３ｂにより構成されている。この正圧発生部４３と負圧発生部４４との境界部に、相対的に浅い段差部４６が構成されている。即ち、段差部４６は、正圧発生部４３と負圧発生部４４との境界部で、所定のステップ幅ＳＷを有し、このステップ幅ＳＷの調整により負圧作用中心Ｐｎをピボット位置Ｐｓに対して流出側へ設定するためのものである。
【００３１】
このようなスライダ４０が、回転運動しているディスク１上のロード状態からアンロード状態に移行する場合を想定する。このアンロード時には、図１（Ａ）に示すように、流入側の正圧発生部４３からの正圧Ｆｐの発生、および負圧発生部４４からの負圧Ｆｎの発生により、スライダ４０の浮上姿勢が設定されている。このとき、前記のように、図１（Ｂ）に示すように、サスペンション荷重Ｆｓ、正圧Ｆｐ、負圧Ｆｎの各作用中心点Ｐｓ、Ｐｐ、Ｐｎの位置関係は、流入側から流出側に向かって、Ｐｓ、Ｐｐ、Ｐｎの順に配置されている。
【００３２】
正圧の作用中心は、前方の正圧発生部４３及び後方の接地面４１の配置でおよそ決定される。一方、負圧の作用中心は、段差部４６と両側部４２とで囲まれる負圧発生部の配置で決定される。従って、段差部４６の幅ＳＷを適当に設定することにより、正圧発生中心の位置を大きく変化させることなく、負圧作用中心のみを移動させることが可能である。具体的には、幅ＳＷを大きくすれば負圧作用中心は下流側に移動し、逆に小さくすれば上流側に移動する。この手段を用いて、負圧作用中心が正圧作用中心よりも下流側に配置されるようにしたうえで、正圧作用中心よりもさらに上流側にサスペンション荷重作用中心をは位置すれば、図１（Ａ），（Ｂ）に示すような各力の作用中心の配置を実現することができる。
【００３３】
このように各作用中心点Ｐｓ、Ｐｐ、Ｐｎが配置されていると、アンロード時に最も流入側に近い位置に作用する。サスペンション荷重Ｆｓの減少に伴って、スライダのピッチングが急速に増加する（図１１（Ａ）を参照）。このため、流入側の接地面（即ち、設定部４５）とディスク１との隙間（間隔ＦＨａ）が急速に大きくなる。これにより、流入側からスライダ４０とディスク１の間に取り込まれる空気流が増加するため、流出側の負圧Ｆｎが速やかに減少する。
【００３４】
従って、アンロード時に負圧によるスライダのディスクへの吸着が起こりにくく、必要最小限のランプ高さでアンロードを行うことになるまで、スライダ４０の浮上姿勢が不安定化することなく、十分な浮上量を有する安定した姿勢で、ディスク１からアンロード状態に移行することができる。これにより、特にスライダを高く持ち上げるためのランプロード機構を必要としないため、ランプロード方式のＨＤＤの薄型化を実現することができる。逆に、ロード時に正規のサスペンション荷重Ｆｓが作用している状態では、十分大きい負圧Ｆｎを発生背させる事ができるため、スライダ４０の浮上量の変動を抑制し、安定した浮上姿勢での低浮上化を実現することができる。
【００３５】
（本実施形態の変形例）
本実施形態の変形例として図３から図６を参照して説明する。
【００３６】
まず、図６（Ａ）に示すように、正圧発生部４３と負圧発生部４４との境界部に設けられた浅い段差部４６は、正圧発生部４３の後ろ側全幅にわたって設ける必要はなく、部分的に調整してもよい。また、ロール剛性を確保するために、正圧発生部４３を左右に分割する場合でも、接地面４３ｂを各部分４３ｂ１，４３ｂ２に分割した構成でも良い。記録再生素子であるヘッド４０Ａをスライダの中心線上に配置する場合には、流出側に新たな接地面６０を設ける構成でもよい。
【００３７】
さらに、図３から図５を参照して他の変形例について説明する。
【００３８】
図３（Ａ），（Ｂ）は、本実施形態のスライダ４０と従来のスライダ３とを比較した図である。この図３（Ｂ）に示す従来のスライダ３に対して、負圧の作用中心Ｐｎを流出側に配置する方法として、図４（Ｂ）に示す構造でもよい。即ち、負圧発生部４４の流入側のエッジを流出側に移動させた構造である。この場合、同時に正圧の作用中心Ｐｐも若干流出側に移動することになるが、正圧は流入側だけでなく、流出側近傍でも発生しているので、その移動距離は負圧の方が大きいと推定できる。負圧発生部４４の流入側のエッジの移動距離を適切に調整擦る事により、負圧の作用位置を正圧よりも流出側に配置することが可能である。
【００３９】
さらに、負圧の作用中心Ｐｎを流出側に配置する方法として、図５（Ｂ）に示す構造でもよい。この変形例では、負圧発生部４４を流出側に向けて、スライダ両側部４２に広がるように形成した構造である。このような構成によれば、負圧発生部４４において流路断面積が流出側に向けて大きくなるので、流入側から流れ込む空気は、次第に膨張する傾向となる。このため、比較的大きな負圧が流出側まで維持されるので、負圧の作用中心Ｐｎを流出側に配置させることが可能となる。
【００４０】
また、負圧の作用中心Ｐｎを流出側に配置する方法として、図４（Ａ）に示す構造でもよい。即ち、流出側の両側部（ランド部）４２を従来のスライダ３と同様に流速方向に長いランドにした構造である。なお、図５（Ａ）は不適切な具体例を示している。
【００４１】
（本発明の他の実施形態）
本発明の他の実施形態として、アンロード時の浮上量低下の問題を解消できる構成を提供する。具体的には、ディスク１の回転方向に対するスライダの角度（ヨー角）が、ディスク１の内周側と比較して外周側で小さくなるような構成である。
【００４２】
図８に示すように、スライダはヨー角が大きくなると、浮上量が低下する性質を有する。但し、アンロード動作に伴って生じる等価的なヨー角８１に対して、もともとのヨー角が小さい場合の浮上量低下分８３と、大きい場合の浮上量低下分８２とでは、浮上量低下の度合いが異なる。従って、問題となるアンロード時の浮上量低下を抑制するためには、最も速度が大きくなる外周側におけるヨー角が小さくなるように構成し、等価的なヨー角による浮上量の低下分を小さくすることが効果的である。
【００４３】
一方、回転式のヘッドアクチュエータ４を用いる場合には、内周から外周までのすべての領域でヨー角を小さく保つことは困難なため、前述のように外周側でヨー角を小さくするような構成においては、内周側におけるヨー角が相対的に大きくなる場合がある。スライダは、図８に示すように、ヨー角が大きくなると、浮上量が低下する性質を有し、周速が低いことと合わせて、内周側で浮上量が下がりやすい傾向となる。このような傾向を抑制する手段としては、内周よりも外周で負圧が大きくなるようにして、周速及びヨー角の効果と相殺させることが考えられる。具体的には、負圧を発生する深い段差３１を適当に選ぶことにより、周速が大きくなるにつれて負圧が大きくなるような性質をスライダに持たせることが可能である。
【００４４】
また別の方法として、本実施形態の外周でヨー角を小さくする構成と、本発明の第１の実施形態で説明したスライダを組み合わせせることが可能である。図１に示すスライスは、主に正圧を発生する接地面が、接地面４１及び接地面４３ａ，４３ｂの３箇所に分けて配置されている。従って、従来のスライダ形状が、ディスクの周速に沿う方向に長い接地面を有し、ヨー角が大きくなるにつれて浮上量が低下する性質を示すのに対して、本発明のスライダでは、接地面のディスクに沿った方向の長さが、それと直交する方向の長さに対して２倍を越えない範囲にあり、ヨー角が大きくなることに伴う浮上量の低下があまり大きくならない。従って、内周側で大きなヨー角が発生するような構成においても、比較的容易に内周から外周に渡って浮上量を均一にできるのに加えて、外周側でヨー角を小さく構成することにより、等価的なヨー角の変動に伴う浮上量の低下を非常に小さく抑えることが可能となる。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明の実施形態に関する負圧式スライダの構造を示す図。
【図２】本実施形態に関するスライダの構造を示す斜視図。
【図３】本実施形態の変形例を示す図。
【図４】本実施形態の変形例を示す図。
【図５】本実施形態の変形例を示す図。
【図６】本実施形態の変形例を示す図。
【図７】本発明の他の実施形態に関するスライダのヨー角とディスクの周速との関係を説明するための図。
【図８】他の実施形態に関するスライダのヨー角と浮上量との関係を説明するための図。
【図９】従来の負圧式スライダの構造を説明するための図。
【図１０】従来の負圧式スライダの構造を説明するための図。
【図１１】従来の負圧式スライダの構造を説明するための図。
【図１２】従来のランプロード方式のＨＤＤの構成を示す斜視図。
【図１３】従来のランプロード方式のＨＤＤの構成を示す斜視図。
【符号の説明】
【００４７】
１…ディスク、２…サスペンション、３…スライダ、３Ａ…ヘッド（記録再生素子）、
４…ヘッドアクチュエータ、５…スピンドルモータ、６…ボイスコイルモータ、
７…回転軸、１０…ランプ部材、１１…ロード用タブ、３０…接地面、
３１…負圧発生部、３２…正圧発生部、４０…負圧式スライダ、
４０Ａ…ヘッド（記録再生素子）、４１…接地面、４２…両側部、４３…正圧発生部、
４３ａ…段差部、４３ｂ…接地面、４４…負圧発生部、４６…段差部（ステップ）。
【図１】
2005332574.tif 000003
【図２】
2005332574.tif 000004
【図３】
2005332574.tif 000005
【図４】
2005332574.tif 000006
【図５】
2005332574.tif 000007
【図６】
2005332574.tif 000008
【図７】
2005332574.tif 000009
【図８】
2005332574.tif 000010
【図９】
2005332574.tif 000011
【図１０】
2005332574.tif 000012
【図１１】
2005332574.tif 000013
【図１２】
2005332574.tif 000014
【図１３】
2005332574.tif 000015